【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
流量を調節するためのシステムであって、該システムは、
第１の弁と、
液体入口および液体出口の間の流量制御弁と、
該第１の弁に結合された制御装置とを備え、
該制御装置は、
プロセッサと、
コンピュータ読み取り可能メモリと、
該コンピュータ読み取り可能メモリ上に保存されたコンピュータ命令のセットとを備え、
該コンピュータ命令は、
閉止範囲の第１セグメントに対する第１閉止速度パラメータに基づき、該流量制御弁を最初の位置から閉止するための該第１の弁への流量制御信号を発生し、
該閉止範囲の第２セグメントに対する第２閉止速度パラメータに基づき、該流量制御弁を閉止するための該第１の弁への該流量制御信号を発生し、
区切り点において、該第１閉止速度パラメータに基づく該流量制御信号の発生と、該第２閉止速度パラメータに基づく該流量制御信号の発生との間で切り替える
ための該プロセッサによって実行可能な命令を含み、
該流量制御信号は、該流量制御弁を該最初の位置から完全に閉止する位置まで継続して閉止するために発生し、
該第１閉止速度パラメータに基づく該流量制御信号の発生と、該第２閉止速度パラメータに基づく該流量制御信号の発生との間で切り替えることは、対応する流体流れに関係なく該流量制御弁の特定の弁位置で発生し、
該第１閉止速度パラメータは、閉止速度の加速度の第１変化率に対応する第１加速度係数であり、該第２閉止速度パラメータは、該閉止速度の加速度の第２変化率に対応する
ことを特徴とするシステム。
【請求項２】
請求項１のシステムであって、前記コンピュータ命令がさらに、弁位置が区切り点より低いかを判定するように実行可能な命令を含む、システム。
【請求項３】
請求項１のシステムであって、前記第１閉止速度パラメータが、所定の最大の閉止速度の加速度において前記流量制御弁を閉止することに対応する、システム。
【請求項４】
請求項１のシステムであって、前記第２閉止速度パラメータが、所定の最大の閉止速度の加速度において前記流量制御弁を閉止することに対応する、システム。
【請求項５】
請求項１のシステムであって、該システムがさらにサックバック弁を備え、
前記コンピュータ命令がさらに、該サックバック弁によって流体をノズルに押し込ませるサックバック制御信号を生成するように実行可能な命令を含む、システム。
【請求項６】
請求項５のシステムであって、前記第１の弁が比例空気圧制御弁を備える、システム。
【請求項７】
請求項６のシステムであって、前記比例空気圧制御弁が、前記流量制御信号に応答し、該比例空気圧制御弁は、前記流量制御弁に空気圧をかけることによって、該流量制御弁を閉止する、システム。
【請求項８】
請求項５のシステムであって、前記コンピュータ命令がさらに、前記サックバック弁によって前記ノズルの端部に流体を押し込ませるように構成された前記サックバック制御信号を生じるように実行可能な命令を含む、システム。
【請求項９】
請求項１のシステムであって、前記コンピュータ命令がさらに、前記閉止範囲の少なくとも１つの追加セグメントに対する少なくとも１つの追加閉止速度パラメータに基づき、前記流量制御信号を生じるように実行可能な命令を備える、システム。
【請求項１０】
コンピュータプログラム製品であって、該コンピュータプログラム製品は、コンピュータ読み取り可能メモリ上に保存されたコンピュータ命令のセットを備え、コンピュータプロセッサにより実行可能であり、該コンピュータ命令のセットが、
流量制御弁を最初の位置から閉止するための信号に応答して、閉止範囲の第１セグメントに対する第１閉止速度パラメータに基づき、該流量制御弁を最初の位置から閉止するための第１の弁への流量制御信号を発生し、
該閉止範囲の第２セグメントに対する第２閉止速度パラメータに基づき、該流量制御弁を閉止するための該第１の弁への該流量制御信号を発生し、
区切り点において、該第１閉止速度パラメータに基づく該流量制御信号の発生と、該第２閉止速度パラメータに基づく該流量制御信号の発生との間で切り替える
ように実行可能な命令を含み、
該流量制御信号は、該流量制御弁を該最初の位置から完全に閉止する位置まで継続して閉止するために発生し、
該第１閉止速度パラメータに基づく該流量制御信号の発生と、該第２閉止速度パラメータに基づく該流量制御信号の発生との間で切り替えることは、対応する流体流れに関係なく該流量制御弁の特定の弁位置で発生し、
該第１閉止速度パラメータは、閉止速度の加速度の第１変化率に対応する第１加速度係数であり、該第２閉止速度パラメータは、該閉止速度の加速度の第２変化率に対応する、コンピュータプログラム製品。
【請求項１１】
請求項１０のコンピュータプログラム製品であって、前記コンピュータ命令のセットがさらに、弁位置が区切り点より低いかを判定するように実行可能な命令を含む、コンピュータプログラム製品。
【請求項１２】
請求項１０のコンピュータプログラム製品であって、前記第１閉止速度パラメータが、所定の最大の閉止速度の加速度において前記流量制御弁を閉止することに対応する、コンピュータプログラム製品。
【請求項１３】
請求項１０のコンピュータプログラム製品であって、前記第２閉止速度パラメータが、所定の最大の閉止速度の加速度において前記流量制御弁を閉止することに対応する、コンピュータプログラム製品。
【請求項１４】
請求項１０のコンピュータプログラム製品であって、前記コンピュータ命令のセットがさらに、サックバック弁によってノズルの端部に流体を押し込ませるように構成されたサックバック制御信号を生じるように実行可能な命令を含む、コンピュータプログラム製品。
【請求項１５】
請求項１４のコンピュータプログラム製品であって、前記コンピュータ命令のセットがさらに、流体が前記ノズルの端部に達すると、前記サックバック弁によって該ノズルの端部から該流体を引き出すように構成された前記サックバック制御信号を生じるように実行可能な命令を含む、コンピュータプログラム製品。
【請求項１６】
請求項１０のコンピュータプログラム製品であって、前記コンピュータ命令がさらに、前記閉止範囲の少なくとも１つの追加セグメントに対する少なくとも１つの追加閉止速度パラメータに基づき、前記流量制御信号を生じるように実行可能な命令を備える、コンピュータプログラム製品。
【請求項１７】
分注プロセスを終了する方法であって、該方法は、
閉止範囲の第１セグメントに対する第１閉止速度パラメータに基づき、別個の流量制御弁を閉止するための第１の弁への流量制御信号を発生し、該第１閉止速度パラメータに基づき該流量制御弁を閉止するステップと、
第２閉止速度パラメータが適用すべきか判定するステップと、
該閉止範囲の第２セグメントに対する第２閉止速度パラメータに基づき、該流量制御弁を閉止するための該第１の弁への該流量制御信号を発生し、該第２閉止速度パラメータに基づき該流量制御弁を閉止するステップと、
区切り点において、該第１閉止速度パラメータに基づく該流量制御信号の発生と、該第２閉止速度パラメータに基づく該流量制御信号の発生との間で切り替えるステップと
を含み、
該流量制御信号は、該流量制御弁を最初の位置から完全に閉止する位置まで継続して閉止するために発生し、
該第１閉止速度パラメータに基づく該流量制御信号の発生と、該第２閉止速度パラメータに基づく該流量制御信号の発生との間で切り替えるステップは、対応する流体流れに関係なく該流量制御弁の特定の弁位置で発生し、
該第１閉止速度パラメータは、閉止速度の加速度の第１変化率に対応する第１加速度係数であり、該第２閉止速度パラメータは、該閉止速度の加速度の第２変化率に対応する、方法。
【請求項１８】
請求項１７の方法であって、該方法がさらに、サックバック弁によってノズルの端部に流体を押し込ませるように構成されたサックバック制御信号を生じるステップを含む、方法。
【請求項１９】
請求項１７の方法であって、該方法がさらに、前記閉止範囲の少なくとも１つの追加セグメントに対する少なくとも１つの追加閉止速度パラメータに基づき、前記流量制御信号を生じるステップを含む、方法。
【請求項２０】
請求項１７の方法であって、該方法がさらに、弁位置が区切り点位置より低いかを判定するステップを含む、方法。
【請求項２１】
請求項１７の方法であって、前記第１閉止速度パラメータが、所定の最大の閉止速度の加速度において前記流量制御弁を閉止することに対応する、方法。
【請求項２２】
請求項１７の方法であって、前記第２閉止速度パラメータが、所定の最大の閉止速度の加速度において前記流量制御弁を閉止することに対応する、方法。